(57)【要約】      （修正有）【課題】工具を用いずに、天板と脚要素とを迅速且つ確実に結合でき、また、横架要素によってそれらの結合状態が解除されることを好適に防止できるといったデスクを提供する。【解決手段】第1の結合機構ＡＸが、天板１及び脚要素２のいずれか一方に設けた第1係合突起と、他方に設けた第1係合孔Ｋ１とを具備し、且つ、前記第1係合孔Ｋ１が、天板１に脚要素２を当接させる初期動作に伴って前記第1係合突起を受け入れる第1受入部と、前記初期動作と異なった方向に脚要素２を天板１に対して相対移動させる中間動作に伴って前記第1係合突起が係合する第1係合部とを備えたものであり、前記第2の結合機構ＡＹが、天板１及び脚要素２のいずれか一方に設けた第２係合突起と、他方に設けた第２係合孔Ｋ２とを具備し、且つ、前記第１係合孔Ｋ１、第１係合突起と同様に動作するようにした第２係合部とを少なくとも備えたものとした。【選択図】図２
2006141480.tif 000002
【特許請求の範囲】
【請求項１】
工具を用いることなしに天板と脚要素とを結合するための第1、第2の結合機構を備えるとともに、脚要素同士を連結して前記結合機構による結合状態が解除されるのを防止するための横架要素を設けたデスクであって、
前記第1の結合機構が、天板及び脚要素のいずれか一方に設けた第1係合突起と、他方に設けた第1係合孔とを具備し、且つ、前記第1係合孔が、天板に脚要素を当接させる初期動作に伴って前記第1係合突起を受け入れる第1受入部と、前記初期動作と異なった方向に脚要素を天板に対して相対移動させる中間動作に伴って前記第1係合突起が係合する第1係合部とを備えたものであり、
前記第2の結合機構が、天板及び脚要素のいずれか一方に設けた第２係合突起と、他方に設けた第２係合孔とを具備し、且つ、前記第２係合孔が、前記初期動作に伴って前記第２係合突起を受け入れる第２受入部と、この第２受入部に連続させて設けられ前記中間動作に伴って前記第２係合突起を受け入れる待機部と、前記第1係合孔に第1係合突起が係合した状態を維持しつつ脚要素を天板に対して相対移動させる最終動作に伴って前記第２係合突起が係合する第２係合部とを少なくとも備えたものであることを特徴とするデスク。
【請求項２】
前記天板が、木製の面板部と、前記面板部に対して設けた金属製の第１取付部とを備え、
この第１取付部に、前記第１係合突起および第１係合孔のいずれか一方を設けていることを特徴とする請求項１記載のデスク。
【請求項３】
前記天板が、木製の面板部と、前記面板部に対して設けた金属製の第２取付部とを備え、
この第２取付部に、前記第２係合突起および第２係合孔のいずれか一方を設けていることを特徴とする請求項１または２記載のデスク。
【請求項４】
前記第１、第２取付部が一体に形成されたものであることを特徴とする請求項３記載のデスク。
【請求項５】
前記第１、第２取付部が、薄板状のプレートに設けたものであることを特徴とする請求項４記載のデスク。
【請求項６】
前記初期動作が、天地を逆さにした天板に対して、天地を逆さにした脚要素を載置する動作であり、
前記中間動作が、天地を逆さにした脚要素を、天地を逆さにした天板の裏面上を滑らすように、且つ、天板の側縁又は端縁と平行な方向に移動させる動作であり、
前記最終動作が、天地を逆さにした脚要素を、天地を逆さにした天板の裏面上を滑らすように、且つ、前記中間動作と異なる方向に移動させる動作であることを特徴とする請求項１乃至５いずれか記載のデスク。
【請求項７】
前記最終動作が、天地を逆さにした脚要素を、天地を逆さにした天板の裏面上を滑らすように、且つ、第1係合部を回動中心として回動させる動作であることを特徴とする請求項６記載のデスク。
【請求項８】
前記横架要素が、脚要素間に横架させた幕板であることを特徴とする請求項１乃至７いずれか記載のデスク。
【発明の詳細な説明】
【技術分野】
【０００１】
本発明は、工具を用いずに、所定の動作で天板に脚要素を組み付け可能に構成され、且つ、組み付けた状態が解除されることを防止する機構を備えたデスクに関するものである。
【背景技術】
【０００２】
従来から、工具を用いずに、所定の動作で天板に脚要素を組み付けられるようにしたデスクが知られている。
【０００３】
具体的にこの種のデスクは、例えば、天板下面の前部及び後部にそれぞれ設けられる連結孔と、該連結孔に対応する部位において脚要素の上端に突設される段付きピンとの係合によって、天板と脚要素とを連結し、その脚要素間に幕板を介挿して脚要素の天板に対する左右移動を禁止するように構成されている（例えば、特許文献１参照。）。
【特許文献１】特許２６７９６２８号公報
【発明の開示】
【発明が解決しようとする課題】
【０００４】
しかしながら、従来の構成では、天板に脚要素を当接させる初期動作において、段付ピンの挿入を案内して取り付けを迅速且つ簡単に行えるように、連結孔の前端を前面に開口させているが、このような加工は、天板が板金素材を用いて形成したものであれば容易に行えるものの、天板全体が木製のものであれば容易に行うことができないといった問題点を有している。
【０００５】
本発明は、このような課題に着目してなされたものであって、主たる目的は、工具を用いずに、天板と脚要素とを迅速且つ確実に結合でき、また、横架要素によってそれらの結合状態が解除されることを好適に防止できるといったデスクを提供することにある。
【課題を解決するための手段】
【０００６】
すなわち、本発明のデスクは、工具を用いることなしに天板と脚要素とを結合するための第1、第2の結合機構を備えるとともに、脚要素同士を連結して前記結合機構による結合状態が解除されるのを防止するための横架要素を設けたデスクであって、前記第1の結合機構が、天板及び脚要素のいずれか一方に設けた第1係合突起と、他方に設けた第1係合孔とを具備し、且つ、前記第1係合孔が、天板に脚要素を当接させる初期動作に伴って前記第1係合突起を受け入れる第1受入部と、前記初期動作と異なった方向に脚要素を天板に対して相対移動させる中間動作に伴って前記第1係合突起が係合する第1係合部とを備えたものであり、前記第2の結合機構が、天板及び脚要素のいずれか一方に設けた第２係合突起と、他方に設けた第２係合孔とを具備し、且つ、前記第２係合孔が、前記初期動作に伴って前記第２係合突起を受け入れる第２受入部と、この第２受入部に連続させて設けられ前記中間動作に伴って前記第２係合突起を受け入れる待機部と、前記第1係合孔に第1係合突起が係合した状態を維持しつつ脚要素を天板に対して相対移動させる最終動作に伴って前記第２係合突起が係合する第２係合部とを少なくとも備えたものであることを特徴とする。
【０００７】
このようなものであれば、天板に脚要素を当接させる初期動作において、第１受入部に第１係合突起を受け入れさせるとともに、第２受入部に第２係合突起を受け入れさせるといった動作を迅速に行えるだけでなく、その後の中間動作によって、第１係合突起と第１係合部とを係合させて天板と脚要素とを結合することができ、さらに、最終動作によって第２係合突起と第２係合部とを係合させて、天板と脚要素とをより堅固に結合することができる。
【０００８】
すなわち、工具を用いずに、初期動作、中間動作、最終動作といった三段階の動作を経て、第１、第２の結合機構によって天板と脚要素とを順次迅速且つ確実に結合していくことができる上、横架要素によって第１、第２結合機構による結合状態が解除されることを防止できるといった、迅速且つ簡単に組立可能でありながらも各部を堅固に連結可能な優れたデスクを提供することができる。
【０００９】
なお、前記天板が、木製の面板部と、前記面板部に対して設けた金属製の第１取付部とを備え、この第１取付部に、前記第１係合突起および第１係合孔のいずれか一方を設けているのであれば、金属製の第１取付部により、第1の結合機構に係る取付強度を確保できる。
【００１０】
また、前記天板が、木製の面板部と、前記面板部に対して設けた金属製の第２取付部とを備え、この第２取付部に、前記第２係合突起および第２係合孔のいずれか一方を設けているのであれば、金属製の第２取付部により、第２の結合機構に係る取付強度を確保できる。
【００１１】
部品点数を削減して、コストダウンを図るには、前記第１、第２取付部が一体に形成されたものであることが望ましい。
【００１２】
このとき、前記第１、第２取付部が、薄板状のプレートに設けたものであれば、無用に重くなることを防止して、天板の取り扱い性を向上できる。
【００１３】
前記初期動作が、天地を逆さにした天板に対して、天地を逆さにした脚要素を載置する動作であり、前記中間動作が、天地を逆さにした脚要素を、天地を逆さにした天板の裏面上を滑らすように、且つ、天板の側縁又は端縁と平行な方向に移動させる動作であり、前記最終動作が、天地を逆さにした脚要素を、天地を逆さにした天板の裏面上を滑らすように、且つ、前記中間動作と異なる方向に移動させる動作であれば、工具を用いずに非常に単純な動作で、天板と脚要素とを結合することができる。
【００１４】
この場合に、前記最終動作が、天地を逆さにした脚要素を、天地を逆さにした天板の裏面上を滑らすように、且つ、第1係合部を回動中心として回動させる動作であれば、その効果は顕著になる。
【００１５】
ところで、前記横架要素が、脚要素間に横架させた幕板であれば、横架要素として特別な部材を用いる必要が無く、デスク全体としてのコストが無用に高くなることを防ぐことができる。
【発明の効果】
【００１６】
以上説明したように本発明のデスクによれば、天板に脚要素を当接させる初期動作において、第１受入部に第１係合突起を受け入れさせるとともに、第２受入部に第２係合突起を受け入れさせるといった動作を迅速に行えるだけでなく、その後の中間動作によって、第１係合突起と第１係合部とを係合させて天板と脚要素とを結合することができ、さらに、最終動作によって第２係合突起と第２係合部とを係合させて、天板と脚要素とをより堅固に結合することができる。
【００１７】
すなわち、工具を用いずに、初期動作、中間動作、最終動作といった三段階の動作を経て、第１、第２の結合機構によって天板と脚要素とを順次迅速且つ確実に結合していくことができる上、横架要素によって第１、第２結合機構による結合状態が解除されることを防止できるといった、迅速且つ簡単に組立可能でありながらも各部を堅固に連結可能な優れたデスクを提供することができる。
【発明を実施するための最良の形態】
【００１８】
以下、本発明の一実施形態を、図面を参照して説明する。
【００１９】
本発明に係るデスクＡは、図１等に示すように、天板１と、天板１に着脱可能に結合され得る一対の脚要素Ａ１たる脚体２と、脚体２同士を連結して天板１と脚体２との結合状態が解除されるのを防止するための横架要素たる幕板３と、幕板３の上端部を天板１及び両脚体２に接続する図示しない一対の上幕板取付部材４と、幕板３の下端部を両脚体２に接続する図示しない一対の下幕板取付部材５とを具備してなる。以下、各部を詳述する。
【００２０】
天板１は、図２、図３等に示すように、略矩形状の面板部１１と、この面板部１１の下面の左右両端部にネジ止めした縁用プレートＰ１、前隅用プレートＰ２及び後隅用プレートＰ３（以下、「プレートＰ」と総称する。）を具備してなる。
【００２１】
縁用プレートＰ１は、平面視縦長矩形状を有し且つ長手方向に各部等断面形状を有するものであって、その全長を面板部１１の奥行き寸法よりも若干短く設定してある。そして、当該縁用プレートＰ１を、その長手方向が面板部１１の側縁に沿ように固設している。前隅用プレートＰ２と後隅用プレートＰ３は、共に平面視略正方形状を有し面板部１１の隅部に固設している。そして、各プレートＰの厚みを略一致させている。これにより、面板部１１に取り付けたプレートＰの下面が略面一になり、両脚体２の上端に対する均等な添設状態を確保している。
【００２２】
面板部１１は、薄板状の木製のものである。そして、本実施形態では、面板部１１の下面に、後述する第1係合突起Ｔ１及び第２係合突起Ｔ２との当接を避けるための図示しない座刳りを、各プレートＰに対応させて設けている。各座刳りは対応するプレートＰよりも若干幅狭とすることで、座刳りがプレートＰで隠蔽されるようにしている。また、各座刳りの深さ寸法は、第1係合突起Ｔ１及び第２係合突起Ｔ２の突出寸法よりも若干深くしている。
【００２３】
縁用プレートＰ１は、図３等に示すように、一端側に第１係合孔Ｋ１を備えるとともに、他端側に第２係合孔Ｋ２を備え、これら各部を板金素材により一体に形成してなる。この縁用プレートＰ１の第１係合孔Ｋ１を備える側が第１取付部に相当し、第２係合孔Ｋ２を備える側が、第２取付部に相当する。
【００２４】
より具体的に、第１係合孔Ｋ１は、肉厚方向に穿設されたもので、第１受入部Ｋ１１と第１係合部Ｋ１２とで構成されるダルマ形状を成している。第１受入部Ｋ１１は、天板１に脚体２を当接させる初期動作に伴って、後述する第1係合突起Ｔ１を受け入れるものであり、また、第１係合部Ｋ１２は、前記初期動作と異なる方向に脚体２を天板１に対して相対移動させる中間動作に伴って、後述する第1係合突起Ｔ１が係合するものである。
【００２５】
また、第２係合孔Ｋ２は、肉厚方向に穿設されたもので、第２受入部Ｋ２０と待機部Ｋ２１と第２係合部Ｋ２２とで構成される略Ｌ字状を成している。第２受入部Ｋ２０は、部分円弧状を成し且つ前記初期動作に伴って後述する第２係合突起Ｔ２を受け入れるものであり、待機部Ｋ２１は、前記中間動作に伴って後述する第２係合突起Ｔ２を受け入れるものであり、また、第２係合部Ｋ２２は、前記第１係合孔Ｋ１に後述する第1係合突起Ｔ１が係合した状態を維持しつつ脚体２を天板１に対して相対移動させる最終動作に伴って後述する第２係合突起Ｔ２が係合するものである。
【００２６】
前隅用プレートＰ２は、図３等に示すように、第１係合孔Ｋ１を略中央位置に備え、板金素材により形成してなる。なお、この前隅用プレートＰ２全体が第１取付部に相当する。また、第１係合孔Ｋ１は、前記縁用プレートＰ１の第１係合孔Ｋ１と同様のものであるので説明を省略する。
【００２７】
後隅用プレートＰ３は、図３等に示すように、第２係合孔Ｋ２を略中央位置に備え、板金素材により形成してなる。なお、この後隅用プレートＰ３全体が第２取付部に相当する。また、第２係合孔Ｋ２は、前記縁用プレートＰ１の第２係合孔Ｋ２と、面板部１１に取り付けた状態で左右対称になるように構成されている。
【００２８】
脚体２は、図１、図４に示すように、偏平筐状の脚支柱２１に上部ステー２２及び下部ステー２３を一体に固設した側面視略コ字状を成すもので、前記上部ステー２２の上面で天板１を添設支持するようにしている。
【００２９】
上部ステー２２の上面の前端側には、天板１の第１係合部Ｋ１２と係合可能な第1係合突起Ｔ１を設け、後端側には、天板１の第２係合部Ｋ２２と係合可能な第２係合突起Ｔ２を設けている。
【００３０】
第1係合突起Ｔ１は、図４の詳細図に示すように、天板１の第１係合部Ｋ１２の径よりも小径な第１軸部Ｔ１１と、天板１の第１受入部Ｋ１１を通過可能で且つ第１係合部Ｋ１２よりも大径な第１頭部Ｔ１２とから構成されており、第１軸部Ｔ１１の突出寸法は天板１の各プレートＰの肉厚に略等しいか僅かに大きい値に設定してある。
【００３１】
第２係合突起Ｔ２は、天板１の待機部Ｋ２１及び第２係合部Ｋ２２の幅よりも小径な第２軸部Ｔ２１と、天板１の第２受入部Ｋ２０を通過可能で且つ待機部Ｋ２１及び第２係合部Ｋ２２の幅よりも大径な第２頭部Ｔ２２とから構成されており、第２軸部Ｔ２１の突出寸法は天板１の各プレートＰの肉厚に略等しいか僅かに大きい値に設定してある。
【００３２】
なお、本実施形態では、これら第1係合突起Ｔ１と第２係合突起Ｔ２との各寸法を略一致させているが、実施態様に応じて適宜変更可能である。
【００３３】
幕板３は、スチール製のもので、図１に示すように、両端が、両脚体２の内面に添設し、上端が天板１の下面に添設し得る位置に配されてなり、その上端部及び下端部を、合成樹脂製の図示しない上幕板取付部材４及び下幕板取付部材５によって、両脚体２に着脱可能に取り付けられている。
【００３４】
以下、デスクＡの組立方法を具体的に説明する。
【００３５】
（１）天板１への脚体２の取り付け
まず、天地を逆にした脚体２を、脚体２の第1係合突起Ｔ１と天板１の第１受入部Ｋ１１とが対向し、且つ、第２係合突起Ｔ２と第２受入部Ｋ２０とが対向するように、裏返した状態の天板１に対して位置付けた後、当該脚体２を天板１に当接させるべく載置する。すると、脚体２の第1係合突起Ｔ１が天板１の第１受入部Ｋ１１に挿入されるとともに、第２係合突起Ｔ２が第２受入部Ｋ２０に挿入される。この動作が、「初期動作」に相当する。
【００３６】
次に、図５、図６に示すように、脚体２を、天板１の前側から後側に向けてスライド移動させると、脚体２の第1係合突起Ｔ１が天板１の第１係合部Ｋ１２に係合され、これら第1係合突起Ｔ１と第１係合部Ｋ１２とが、第1の結合機構ＡＸとして機能する状態になり、また、脚体２の第２係合突起Ｔ２が、待機部Ｋ２１に受け入れられる。この動作が、「中間動作」に相当する。
【００３７】
さらに、図５、図６に示すように、脚体２を、第1係合突起Ｔ１が第１係合孔Ｋ１に係合した状態を維持しつつ、第１係合部Ｋ１２を回動中心として天板１裏面を沿うように回動動作させると、脚体２の第２係合突起Ｔ２が、第２係合部Ｋ２２に係合され、これら第２係合突起Ｔ２と第２係合部Ｋ２２とが、第２の結合機構ＡＹとして機能する状態になる。この動作が、「最終動作」に相当する。
【００３８】
（２）幕板３の取り付け
上述のようにして、天板１に両脚体２を取り付けた後、幕板３を、両脚体２の内面間に横架させる位置に取り付け固定する。
【００３９】
（３）その他
以上のようにして組み立ててきたものを、天地が正常となるように戻せば、デスクとして通常に使用することができる。
【００４０】
このように、本実施形態に係るデスクＡによれば、天板１に脚体２を当接させる初期動作において、第１受入部Ｋ１１に第1係合突起Ｔ１を受け入れさせるとともに、第２受入部Ｋ２０に第２係合突起Ｔ２を受け入れさせるといった動作を迅速に行えるだけでなく、その後の中間動作によって、第1係合突起Ｔ１と第１係合部Ｋ１２とを係合させて天板１と脚体２とを結合することができ、さらに、最終動作によって第２係合突起Ｔ２と第２係合部Ｋ２２とを係合させて、天板１と脚体２とをより堅固に結合することができる。
【００４１】
すなわち、工具を用いずに、初期動作、中間動作、最終動作といった三段階の動作を経て、第１、第２の結合機構ＡＸ、ＡＹによって天板１と脚体２とを順次迅速且つ確実に結合していくことができる上、横架要素たる幕板３によって第１、第２結合機構ＡＸ、ＡＹによる結合状態が解除されることを防止できるといった、迅速且つ簡単に組立可能でありながらも各部を堅固に連結可能な優れたデスクを提供することができる。
【００４２】
また、金属製のプレートＰに、第１係合孔Ｋ１と第２係合孔Ｋ２とを設けているので、第１、第２の結合機構ＡＸ、ＡＹに係る取付強度を、好適に確保できる。
【００４３】
また、第１係合孔Ｋ１と第２係合孔Ｋ２とを縁用プレートＰ１に一体に設けているので、取付作業性を向上させることができる。
【００４４】
前記初期動作が、天地を逆さにした天板１に対して、天地を逆さにした脚体２を載置する動作とし、前記中間動作が、天地を逆さにした脚体２を、天地を逆さにした天板１の裏面上を滑らすように、且つ、天板１の側縁と平行な方向に移動させる動作とし、前記最終動作が、天地を逆さにした脚体２を、天地を逆さにした天板１の裏面上を滑らすように、且つ、第１係合部Ｋ１２を回動中心として回動させる動作としているので、工具を用いずに非常に単純な動作で、天板１と脚体２とを結合することができる。
【００４５】
また、横架要素を、脚体２間に横架させた幕板３としているので、横架要素として特別な部材を用いる必要が無く、デスク全体としてのコストが無用に高くなることを防ぐことができる。
【００４６】
なお、本発明は、以上に詳述した実施形態に限られるものではない。
【００４７】
例えば、脚体２に替えて、引出し６１を備えた脚要素Ａ１たる袖６（図７参照）を天板１に取り付けることもできる。
【００４８】
この場合には、図７、図８に示すように、袖６の２枚の頂板６２に、２つの第1係合突起Ｔ１及び２つの第２係合突起Ｔ２を設ける一方、これら第1係合突起Ｔ１と第２係合突起Ｔ２と係合可能な第１係合孔Ｋ１、第２係合孔Ｋ２、第３係合孔Ｋ３を備えたプレートＰを、天板１の面板部１１に設ければよい。なお、図８には、プレートＰについて、天板１の片側に配されるもののみを図示しているが、もう片側は左右対称に配される。
【００４９】
ここで、第１係合孔Ｋ１及び第２係合孔Ｋ２は、上述した実施形態のものと同様の構成であるので説明を省略し、第３係合孔Ｋ３についてのみ説明すると、この第３係合孔Ｋ３は、頂板６２に、その肉厚方向に穿設されたもので、第２受入部Ｋ３０と待機部Ｋ３１と第２係合部Ｋ３２とで構成される。第２受入部Ｋ３０は、部分円弧状を成し且つ前記初期動作に伴って前記第２係合突起Ｔ２を受け入れるものであり、待機部Ｋ３１は、前記中間動作に伴って後述する第２係合突起Ｔ２を受け入れるものであり、また、第２係合部Ｋ３２は、前記第１係合孔Ｋ１に後述する第1係合突起Ｔ１が係合した状態を維持しつつ当該袖６を天板１に対して相対移動させる最終動作に伴って前記第２係合突起Ｔ２が係合するものである。
【００５０】
具体的な袖６の取付態様としては、図８（ａ）に示すように、第１係合孔Ｋ１を３つ並べて設けたプレートＰ１０１と、第２係合孔Ｋ２と第３係合孔Ｋ３とを１つずつ設けたプレートＰ１０２を利用して取り付ける態様が挙げられる。ここで、プレートＰ１０１の３つの第１係合孔Ｋ１のうち、内側２つの第１係合孔Ｋ１は、袖６の取り付けに専ら用いるものであり、外側の第１係合孔Ｋ１は、脚体２の取り付けに専ら用いるものである。また、プレートＰ１０２の第２係合孔Ｋ２は、袖６又は脚体２の取り付けに用いるものであり、第３係合孔Ｋ３は、袖６の取り付けに専ら用いるものである。
【００５１】
また、この他、図８（ｂ）に示すように、一端側に第１係合孔Ｋ１を２個並べるとともに他端側に第２係合孔Ｋ２を設けたプレートＰ２０１と、一端側に第１係合孔Ｋ１を設けると共に他端側に第３係合孔Ｋ３を設けたプレートＰ２０２とを利用して取り付ける態様や、図８（ｃ）に示すように、第１係合孔Ｋ１を２つ並べて設けたプレートＰ３０１と、第１係合孔Ｋ１を設けたプレートＰ３０２と、第２係合孔Ｋ２を設けたプレートＰ３０３と、第３係合孔Ｋ３を設けたプレートＰ３０４との、４つのプレートＰを利用して取り付ける態様などが挙げられるが、これに限らず、例えば、３つの第１係合孔Ｋ１と１つの第２係合孔Ｋ２と１つの第３係合孔Ｋ３とを一体に形成した１枚のプレート（図示せず）を利用して取り付ける等、プレートＰの態様は、各係合孔と各係合突起との取付位置関係が保てる範囲内で、適宜変更可能である。
【００５２】
また、天板１に設けたプレートＰの一部又は全部を、面板部１１に埋め込むようにしてもよい（図示せず）。
【００５３】
さらに、天板１と袖６との結合状態が解除されるのを防止するための解除防止機構たるファスナ７を、袖６の引出しを開錠しないと触れることができない内部位置に設けるといった実施態様も考えられる。
【００５４】
具体的には、天板１に係止孔Ｊを形成すると共に、この係止孔Ｊにファスナ７の爪要素７１、７２が位置付けらるように構成すればよい。このようにすれば、袖６を、最終動作で行った回動動作と反対の方向に回動すると、天板１の係止孔Ｊ内にあるファスナ７の爪要素７１、７２がその係止孔Ｊに当接するので、幕板３を取り外しても、このファスナ７を取り外さない限り、袖６は、最終動作で行った回動動作と反対の方向に回動することが、ファスナ７によって妨げられ、天板１と袖６との係合状態が解除されることを防止できるからである。
【００５５】
また、第１係合孔Ｋ１等を有するプレートＰを脚要素Ａ１に設け、第１係合突起Ｔ１等を天板１に設けるようにしてもよい。このとき、第１係合突起Ｔ１等は、図９に示すように、面板部１１の表面から突出させてもよいし、脚要素Ａ１に設けたプレートＰの一部又は全部を受入得るべく面板部１１の裏面から座刳ったプレート受入部１０内に設けてもよい。
【００５６】
また、横架要素に幕板３を用いているが、脚要素Ａ１間に横架させられるものでこれに限られない。
【００５７】
さらに、脚要素Ａ１を、中間動作において使用端側から反使用端側に向けて移動させているが、これとは逆に、反使用端側から使用端側に向けて移動させてもよい。
【００５８】
また、脚要素Ａ１を、中間動作において使用端縁と平行に移動させるといった実施態様も考えられる。この場合には、例えば、引出しや天板側縁に沿って設けた補強部材（図示せず）が横架要素として機能する。このように横架要素は、最終動作を規制するものであれば、その配置場所や連結方法（例えば、脚要素同士を直接連結するものでもよいし、間接的に連結するものでもよい）は、適宜変更可能である。
【００５９】
その他、各部の具体的構成についても上記実施形態に限られるものではなく、本発明の趣旨を逸脱しない範囲で種々変形が可能である。
【図面の簡単な説明】
【００６０】
【図１】本発明の一実施形態に係るデスクを示す全体斜視図。
【図２】本発明の一実施形態に係る天板を天地を逆にして示す図。
【図３】同実施形態における天板の裏面側を示す図。
【図４】同実施形態における脚体を示す斜視図。
【図５】同実施形態における脚体の天板への取り付けを模式的に示す図。
【図６】同実施形態における脚体の天板への取り付けを模式的に示す図。
【図７】本発明の他の実施形態における脚要素たる袖を示す斜視図。
【図８】同実施形態におけるプレートの面板部に対する配置図。
【図９】本発明の他の実施形態における脚要素の天板への取付態様を示す図。
【図１０】本発明の他の実施形態におけるファスナの全体斜視図。
【図１１】同実施形態におけるファスナの取付態様を示す断面図。
【符号の説明】
【００６１】
Ａ・・・・・・デスク
Ａ１・・・・・脚要素
ＡＸ・・・・・第1の結合機構
ＡＹ・・・・・第２の結合機構
Ｋ１・・・・・第１係合孔
Ｋ１１・・・・第１受入部
Ｋ１２・・・・第１係合部
Ｋ２０・・・・第２受入部
Ｋ２１・・・・待機部
Ｋ２２・・・・第２係合部
Ｋ３０・・・・第２受入部
Ｋ３１・・・・待機部
Ｋ３２・・・・第２係合部
Ｔ１・・・・・第1係合突起
Ｔ２・・・・・第2係合突起
１・・・・・・天板
２・・・・・・脚体
３・・・・・・横架要素（幕板）
【図１】
2006141480.tif 000003
【図２】
2006141480.tif 000004
【図３】
2006141480.tif 000005
【図４】
2006141480.tif 000006
【図５】
2006141480.tif 000007
【図６】
2006141480.tif 000008
【図７】
2006141480.tif 000009
【図８】
2006141480.tif 000010
【図９】
2006141480.tif 000011
【図１０】
2006141480.tif 000012
【図１１】
2006141480.tif 000013